(57)【要約】【課題】簡単な構造で指示部の複雑な移動軌跡を描くことができ、意匠性を向上できる表示機構、この表示機構を備えた時計用ムーブメントおよび時計を提供する。【解決手段】時間経過を示すために用いられる指示部４２と、時間経過に応じて指示部４２の移動速度を異ならせる制御機構５０と、を備え、制御機構５０は、カム部５１とカム従節ユニット５５とを備え、カム従節ユニット５５は、カム部５１に接する従節部６１が形成され、カム従節ユニット５５の回転にともなって揺動しながらカム部５１の周りを周方向に回転するレバー６０と、一端部に指示部４２が形成され、他端部が第２軸Ｃ２周りに回動可能に支持され、カム部５１の周りを周方向に回転するポインタ４１と、を備え、レバー６０の他端部とポインタ４１の他端部とは、ポインタ歯車４３とレバー歯車６２とにより形成された動力伝達部を介して連結されていることを特徴とする。【選択図】図２
2015007539.tif 000002
【特許請求の範囲】
【請求項１】
時間経過を示すために用いられる指示部と、
前記時間経過に応じて、前記指示部の移動速度を異ならせる制御機構と、
を備えることを特徴とする表示機構。
【請求項２】
前記制御機構は、
第１軸を中心軸とするカム部と、
前記カム部の周方向に回転するカム従節ユニットと、
を備え、
前記カム従節ユニットは、
一端部に前記カム部に接する従節部が形成され、前記カム従節ユニットの回転にともなって揺動しながら前記カム部の周りを前記周方向に回転するレバーと、
一端部に前記指示部が形成され、他端部が前記カム部の径方向の外側に位置する第２軸周りに回動可能に支持され、前記カム従節ユニットの回転にともなって前記カム部の周りを前記周方向に回転するポインタと、
を備え、
前記レバーの他端部と前記ポインタの他端部とは、動力伝達部を介して連結されていることを特徴とする請求項１に記載の表示機構。
【請求項３】
前記動力伝達部は、
前記ポインタの他端部に形成されたポインタ歯車と、
前記レバーの他端部に形成されたレバー歯車と、
により形成されていることを特徴とする請求項２に記載の表示機構。
【請求項４】
前記カム部は、前記周方向の一方側から他方側に向かって半径が大きくなるように形成された主カム面を備え、
前記主カム面は、前記レバーの前記従節部を前記第１軸に対して接近離反させる複数の副カム面により形成されていることを特徴とする請求項２または３に記載の表示機構。
【請求項５】
前記カム部は、前記周方向の一方側から他方側に向かって前記第１軸からの前記径方向に沿う距離が大きくなるように形成された溝部を備え、
前記レバーの前記従節部は、前記溝部に沿って移動可能な凸部により形成されていることを特徴とする請求項２または３に記載の表示機構。
【請求項６】
前記カム部および前記カム従節ユニットは、前記第１軸周りに前記周方向の一方側から他方側に向かって同一方向に回転し、
前記カム従節ユニットは、前記カム部よりも高速回転することを特徴とする請求項４または５に記載の表示機構。
【請求項７】
前記カム部は、筒車に取り付けられ、
前記カム従節ユニットの回転速度は、前記カム部の回転速度の２倍であることを特徴とする請求項６項に記載の表示機構。
【請求項８】
請求項１に記載の表示機構を備えたことを特徴とする時計用ムーブメント。
【請求項９】
請求項８に記載の時計用ムーブメントを備えたことを特徴とする時計。
【発明の詳細な説明】
【技術分野】
【０００１】
この発明は、表示機構、この表示機構を備えた時計用ムーブメントおよび時計に関するものである。
【背景技術】
【０００２】
腕時計等の機械式時計は、時刻を表示する機能に加えて、装飾品としての機能も有している。このため、従来から、例えば時針や分針、秒針、曜針等の指針による時刻や曜日等の情報の表示について、意匠性を向上させるために、特殊な表示機構を備えた機械式時計が知られている。
【０００３】
例えば、特許文献１には、回転軸に取付けられていて表示すべき値のインジケータを有する、予め選択された径路のアナログ表示装置（表示機構）であって、インジケータの自由端が回転軸まわりの回転に伴って予め選択された径路に従うように構成された、インジケータのための制御装置を有するアナログ表示装置が記載されている。
インジケータの制御装置は、回転軸に取り付けられたガイドアームに設けられた二つのピンに対して摺動する長手方向の溝を含むとともに、ガイドアームに連結されたアームに設けられたピンによってガイドされる横方向の溝を含む。
【０００４】
文字板上の針の移動軌跡は、ガイドアームに対するアームの回転速度および各溝の形状によって規定される。
具体的には、ガイドアームは１時間に１回転し、時計の時針に取り付けられる。アームは、時針によって動かされ、１時間に２回転するようになっている。また、複数のピンは、ガイドアームおよびアームに打ち込まれ、かつ針がガイドアームおよびアーム上に設置されて、第１の溝がガイドアームのピンによって位置決めされた状態で、第２の溝内にアームのピンが配置されるようになっている。このように、第１の溝を用いて針をガイドすることで、針が１時間に１回転する。そして、針の先端は、周方向に回転しつつ、アームに打ち込まれたピンにより径方向に移動させられることで、楕円形状の径路に沿って移動する。
【先行技術文献】
【特許文献】
【０００５】
【特許文献１】特開２００５−１７２９５号公報
【発明の概要】
【発明が解決しようとする課題】
【０００６】
しかしながら、従来技術にあっては、第１の溝形状が直線的であり、アームのピンにより所定の周期で針が径方向に沿って移動しつつ、針が回転する構成となっている。したがって、針の指示部の移動軌跡は、ガイドアームの回転中心に対して対称な形状に限定されるため、意匠性に優れた複雑な移動軌跡を描くという点で課題が残されている。また、一般に、針の指示部の移動軌跡を複雑なものとする場合には、表示機構も複雑になる傾向にある。
【０００７】
そこで、本発明は、簡単な構造で指示部の複雑な移動軌跡を描くことができ、意匠性を向上できる表示機構、この表示機構を備えた時計用ムーブメントおよび時計の提供を課題とする。
【課題を解決するための手段】
【０００８】
上記の課題を解決するために、本発明の表示機構は、時間経過を示すために用いられる指示部と、前記時間経過に応じて、前記指示部の移動速度を異ならせる制御機構と、を備えることを特徴としている。
【０００９】
本発明によれば、指示部の移動速度を異ならせる制御機構を備えているので、簡単な構造で指示部の複雑な移動軌跡を描くことができ、表示機構の意匠性を向上できる。
【００１０】
また、前記制御機構は、第１軸を中心軸とするカム部と、前記カム部の周方向に回転するカム従節ユニットと、を備え、前記カム従節ユニットは、一端部に前記カム部に接する従節部が形成され、前記カム従節ユニットの回転にともなって揺動しながら前記カム部の周りを前記周方向に回転するレバーと、一端部に前記指示部が形成され、他端部が前記カム部の径方向の外側に位置する第２軸周りに回動可能に支持され、前記カム従節ユニットの回転にともなって前記カム部の周りを前記周方向に回転するポインタと、を備え、前記レバーの他端部と前記ポインタの他端部とは、動力伝達部を介して連結されていることを特徴としている。
【００１１】
本発明によれば、制御機構は、第１軸を中心軸とするカム部と、カム部の周方向に回転するカム従節ユニットと、により制御機構が形成されているので、部品点数の少ない簡単な構造とすることができる。また、カム従節ユニットは、一端部にカム部に接する従節部が形成され、カム従節ユニットの回転にともなって揺動しながらカム部の周りを周方向に回転するレバーを備えているので、カム部の外周面の形状を変更することで、レバーの揺動量を任意に設定することができる。また、従節部のカム部に対する相対移動速度を変更することで、レバーの揺動速度を任意に設定することができる。また、ポインタは、第２軸周りに回動可能に支持されるとともに、レバーの他端部とポインタの他端部とが動力伝達部を介して連結されているので、設定されたレバーの揺動量および揺動速度に対応して、ポインタが第２軸周りに回動しながら、カム部の周りを周方向に回転することができる。このように、カム部の外周面の形状および従節部のカム部に対する相対移動速度により、ポインタの指示部の移動軌跡を所望に決定できるので、簡単な構造で指示部の複雑な移動軌跡を描くことができ、表示機構の意匠性を向上できる。
【００１２】
また、前記動力伝達部は、前記ポインタの他端部に形成されたポインタ歯車と、前記レバーの他端部に形成されたレバー歯車と、により形成されていることを特徴としている。
【００１３】
本発明によれば、動力伝達部は、ポインタ歯車とレバー歯車と、により形成されているので、互いに噛合するポインタ歯車の歯数とレバー歯車の歯数との比を変更することにより、さらに指示部の複雑な移動軌跡を描くことができ、表示機構の意匠性を向上できる。とりわけ、レバー歯車の歯数の比率をポインタ歯車の歯数の比率よりも大きくすることで、ポインタの回動時の揺動量を大きくして指示部の揺動量を大きくすることができ、レバー歯車の歯数の比率をポインタ歯車の歯数の比率よりも小さくすることで、ポインタの回動時の揺動量を小さくして指示部の揺動量を小さくすることができる。このように、カム部の外周面の形状および従節部のカム部に対する相対移動速度に加えて、ポインタ歯車の歯数とレバー歯車の歯数との比を変更することにより、ポインタの指示部の移動軌跡を所望に決定できるので、簡単な構造で指示部の複雑な移動軌跡を描くことができ、表示機構の意匠性を向上できる。
【００１４】
また、前記カム部は、前記周方向の一方側から他方側に向かって半径が大きくなるように形成された主カム面を備え、前記主カム面は、前記レバーの前記従節部を前記第１軸に対して接近離反させる複数の副カム面により形成されていることを特徴としている。
【００１５】
本発明によれば、主カム面は、レバーの従節部を第１軸に対して接近離反させる複数の副カム面により形成されているので、副カム面の形状を変更することで、レバーの従節部がカム部の主カム面に接した状態でカム部の周りを回転するときに、レバーの揺動量を調整することができる。したがって、例えば、指示部の移動軌跡を例えば曲線状としたり、直線状としたりすることができるので、所望の移動軌跡を描くことができる。
【００１６】
また、前記カム部は、前記周方向の一方側から他方側に向かって前記第１軸からの前記径方向に沿う距離が大きくなるように形成された溝部を備え、前記レバーの前記従節部は、前記溝部に沿って移動可能な凸部により形成されていることを特徴としている。
【００１７】
本発明によれば、簡単かつ低コストにカム部を形成することができる。また、レバーの従節部は、溝部に沿って移動可能な凸部により形成されているので、溝部内にレバーの凸部を配置するだけで、溝部に沿って従節部が移動できる。したがって、例えば、カム部に従節部が接するように、従節部をカム部に向かって付勢するための付勢部材が不要となるので、表示機構をさらに簡単な構造とし、かつ低コスト化することができる。
【００１８】
また、前記カム部および前記カム従節ユニットは、前記第１軸周りに前記周方向の一方側から他方側に向かって同一方向に回転し、前記カム従節ユニットは、前記カム部よりも高速回転することを特徴としている。
【００１９】
本発明によれば、カム部およびカム従節ユニットは、第１軸周りに周方向の一方側から他方側に向かって同一方向に回転し、カム従節ユニットは、カム部よりも高速回転するので、カム部に対してカム従節ユニットを相対回転させることができる。また、カム部が１回転する間に、カム従節ユニットがカム部の周りを複数周回することで、指示部の移動軌跡を、カム従節ユニットの周回数に対応した周回数を有する渦巻き状とすることができる。このように、カム部とカム従節ユニットとの回転速度比に対応して、渦巻き状の移動軌跡の周回数を変更できるので、簡単な構造で指示部の複雑な移動軌跡を描くことができ、表示機構の意匠性を向上できる。
【００２０】
また、前記カム部は、筒車に取り付けられ、前記カム従節ユニットの回転速度は、前記カム部の回転速度の２倍であることを特徴としている。
【００２１】
本発明によれば、１２時間に１回転する筒車にカム部が取り付けられているので、１２時間を１周期とした指示部の移動軌跡を描くことができる。したがって、指示部を時針とする際に好適である。また、カム従節ユニットの回転速度がカム部の回転速度の２倍であるので、渦巻き状の移動軌跡の周回数を２回とすることができる。
【００２２】
また、本発明の時計用ムーブメントは、上述の表示機構を備えたことを特徴としている。
また、本発明の時計は、上述の時計用ムーブメントを備えていることを特徴としている。
本発明によれば、上述した表示機構を備えることにより、簡単な構造で指示部の複雑な移動軌跡を描くことができる、意匠性に優れた時計用ムーブメントおよび時計を得ることができる。
【発明の効果】
【００２３】
本発明によれば、指示部の移動速度を異ならせる制御機構を備えているので、簡単な構造で指示部の複雑な移動軌跡を描くことができ、表示機構の意匠性を向上できる。
【図面の簡単な説明】
【００２４】
【図１】実施形態に係る時計の外観図である。
【図２】ムーブメントを裏側から見たときの説明図である。
【図３】図２に示すムーブメントの断面図である。
【図４】表示機構の説明図であって０時を表示しているときの説明図である。
【図５】表示機構の説明図であって１時を表示しているときの説明図である。
【図６】表示機構の説明図であって２時を表示しているときの説明図である。
【図７】表示機構の説明図であって３時を表示しているときの説明図である。
【図８】表示機構の説明図であって４時を表示しているときの説明図である。
【図９】表示機構の説明図であって５時を表示しているときの説明図である。
【図１０】表示機構の説明図であって６時を表示しているときの説明図である。
【図１１】表示機構の説明図であって７時を表示しているときの説明図である。
【図１２】表示機構の説明図であって８時を表示しているときの説明図である。
【図１３】表示機構の説明図であって９時を表示しているときの説明図である。
【図１４】表示機構の説明図であって１０時を表示しているときの説明図である。
【図１５】表示機構の説明図であって１１時を表示しているときの説明図である。
【図１６】表示機構の説明図であって１２時を表示しているときの説明図である。
【図１７】実施形態の第１変形例に係る表示機構の説明図である。
【図１８】実施形態の第２変形例に係る表示機構の説明図である。
【発明を実施するための形態】
【００２５】
以下に、この発明の実施形態について、図面を用いて説明する。
以下では、まず実施形態に係る機械式の腕時計（請求項の「時計」に相当。）およびこの腕時計に組み込まれたムーブメント（請求項の「時計用ムーブメント」に相当。）について説明したあと、表示機構の詳細について説明する。
【００２６】
（時計）
一般に、時計の駆動部分を含む機械体を「ムーブメント」と称する。このムーブメントに文字板、針を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００２７】
図１は、実施形態に係る時計１の外観図である。
図１に示すように、本実施形態の時計１のコンプリートは、図示しないケース裏蓋、およびガラス２からなる時計ケース３内に、ムーブメント１０と、時に関する情報を示す文字板１１と、分を示す分針５と、秒を示す秒針６と、時針の機能を有し時を示す指示部４２を備えたポインタ４１と、を備えている。本実施形態の時計１は、とりわけ時の情報の表示について、意匠性を向上させるための特殊な表示機構４０を備えた機械式の時計１である。
【００２８】
地板２０の図示しない巻真案内穴には、巻真８が回転可能に組み込まれている。この巻真８は、例えば、日付の修正や、時刻表示（時および分の表示）を修正する際に用いられる時計部品である。巻真８の一端部には、時計ケース３の側方に位置するりゅうず９が取付けられている。
巻真８は、巻真案内穴によって回転可能に支持されているとともに、巻真８の延在方向に例えば２段階に引き出し操作可能とされている。この際、巻真８は、地板２０の裏側に配置された、おしどり、かんぬきやかんぬきばね等の図示しない切替装置により、延在方向の位置が決められている。
なお、以下の説明では、分針５および秒針６の回転中心を第１軸Ｃ１とし、第１軸Ｃ１の軸方向と直交する方向を径方向といい、第１軸Ｃ１周りに周回する方向を周方向という。また、時計回り方向の上流側を周方向の一方側とし、下流側を周方向の他方側という。また、軸方向から見て、第１軸Ｃ１を通るとともに巻真８に沿う軸をＸ軸とし、図１における右側を＋Ｘ側とし、左側を−Ｘ側とする。また、第１軸Ｃ１を通るとともにＸ方向と直交する軸をＹ軸とし、図１における上側を＋Ｙ側とし、下側を−Ｙ側とする。以下、必要に応じてＸ−Ｙ直交座標系を用いて説明する。
【００２９】
文字板１１は、例えば全体として６角形状に形成されており、文字板１１の主面の各角部には、分および秒の情報を表す目盛１２が設けられている。
文字板１１の主面における目盛１２よりも径方向の内側は、時に関する情報を示す「０」から「１２」までの数字からなるインデックス１３が表示された表示領域１５（請求項の「表示部」に相当。）となっている。表示領域１５には、インデックス１３に対応して、午前または午後の０時から１２時までの時の情報が表示される。
【００３０】
表示領域１５には、「０」から「１２」までのインデックス１３が、周方向に沿って時計回りに順に並んでいる。本実施形態においては、軸方向から見たとき、（＋Ｘ，＋Ｙ）領域であって、Ｘ軸に対して時計周り方向に所定角度ずれた位置に「０」が表示されている。また、「０」以降のインデックス１３は、時計回りに方向に順に、第１軸Ｃ１からの距離が漸次大きくなるように渦巻き状に並んで配置されており、「１２」のインデックス１３は、最も径方向の外側であって、＋Ｙ軸上に配置されている。また、インデックス１３の各数字は、意匠性の向上を目的として、例えばそれぞれ文字板１１に円形状に凹み形成された領域に配置されるとともに、周方向に隣り合う数字同士が、直線によって結ばれているように表示されている。
【００３１】
表示領域１５には、時間経過を示すために用いられる指示部４２と、時間経過に応じて、指示部４２の移動速度を異ならせる制御機構５０と、を備えた表示機構４０が設けられている。指示部４２は、制御機構５０により表示領域１５を移動させられて、時に関する情報を示す「０」から「１２」までの各インデックス１３を指し示すように構成されている。指示部４２および制御機構５０を備えた表示機構４０については、後に詳述する。
文字板１１の表示領域１５には、日付を表す数字を明示させる日窓１１ａが開口している。これにより、時計１は、時刻に加え、日付を確認することが可能とされている。
【００３２】
図２は、図１に示すムーブメント１０を裏側（文字板１１側）から見たときの説明図である。なお、図２では、分かりやすくするために文字板１１を透過して図示している。また、文字板１１に表示された数字や線、文字板１１に形成された日窓１１ａ、および日車押さえ２９を二点鎖線にて図示している。また、分針５および秒針６（いずれも図１参照）の図示を省略している。
図３は、図２に示すムーブメント１０の断面図である。なお、図３において、文字板１１の地板２０側の内面を境界として、文字板１１の内面よりも地板２０側は、図２におけるＡ−Ａ１線に沿った断面図となっており、文字板１１の内面よりも地板２０とは反対側は、図２におけるＡ−Ａ２線に沿った断面図となっている。
【００３３】
図２に示すように、ムーブメント１０は、ムーブメント１０の基板を構成する地板２０を有している。この地板２０の表側の面には、てんぷ、がんぎ車、アンクル等を含む図示しない脱進・調速機構と、四番車、三番車、二番車および香箱車を含む図示しない表輪列と、が少なくとも配置されている。
【００３４】
図３に示すように、地板２０の文字板１１側には、分車１７、日の裏車１８および筒車２１を含む裏輪列と、日車３０と、第１日回し中間車２４と、第２日回し中間車２５と、日回し車２６と、日送り爪２７と、日ジャンパ２８（図２参照）と、が少なくとも配置されている。また、地板２０の裏側には、日車３０、第１日回し中間車２４、第２日回し中間車２５、日回し車２６、日送り爪２７および日ジャンパ２８（図２参照）を押さえる日車押さえ２９が取付けられている。また、日車押さえ２９の裏側には、文字板１１がガラス２（図１参照）を通じて視認可能に配置されている。
【００３５】
四番車、分車１７および筒車２１は、それぞれ第１軸Ｃ１に対して同軸上に配置されている。このうち分車１７は、香箱車の回転により、二番車および三番車の回転を介して１時間に１回転するように構成されている。そして、この分車１７に分針５が取付けられている。また、四番車は、二番車および三番車の回転を介して１分間に１回転するように構成されている。そして、この四番車から第１軸Ｃ１に沿って延設された四番真１６に、秒針６が取り付けられている。
【００３６】
筒車２１は、分車１７および日の裏車１８の回転を介して、１２時間に１回転するように構成されている。筒車２１は、先端側が小径筒部２１ａとなっており、基端側が大径筒部２１ｂとなっている。小径筒部２１ａには、後述の制御機構５０を構成するカム部５１が外嵌固定されている。また、大径筒部２１ｂには、後述の制御機構５０を構成するユニット歯車５６が外挿されている。
【００３７】
図２に示すように、日車３０は、地板２０に対して回転自在に取付けられており、全体としてリング状をした部材である。日車３０は、開口部の内周縁に沿って複数の内歯３０ａが形成されている。日車３０におけるムーブメント１０の裏側（すなわち文字板１１側）の主面には、１日から３１日までの日付を表す日文字が表示されている。なお、図２においては、日車３０に表示される日文字のうち一部のみを図示している。
【００３８】
図３に示すように、筒車２１の駆動力は、地板２０に対して回転自在に取付けられた第１日回し中間車２４および第２日回し中間車２５の回転を介して、日回し車２６に伝達される。
日回し車２６は、日車３０を１日に１回（午前０時に達した時点で）、日付１日分だけ回転させて日送りする時計部品であり、筒車２１、第１日回し中間車２４および第２日回し中間車２５の回転に基づいて、２４時間で反時計回り方向に１回転するように構成されている。日回し車２６の裏側（文字板１１側）には、日車３０の内歯３０ａに係合可能な日送り爪２７が形成されている。日回し車２６が反時計回り方向に回転運動すると、日送り爪２７が日車３０の内歯３０ａと係合する。これにより、日回し車２６の回転力は、日送り爪２７を介して日車３０の内歯３０ａに伝達される。そして、日回し車２６は、１回転につき日車３０を日付１日分だけ反時計回り方向に回転させる。
【００３９】
第１日回し中間車２４には、日車押さえ２９よりも裏側（文字板１１側）に、ユニット駆動用歯部２４ａが形成されている。ユニット駆動用歯部２４ａは、後述のカム従節ユニット５５を構成するユニット歯車５６と噛合しており、筒車２１の駆動力をユニット歯車５６に伝達しながらユニット歯車５６の回転速度を増加させている。
【００４０】
図２に示すように、日ジャンパ２８は、日車３０の回転方向の位置を規正する時計部品であって、基端部が地板２０の裏側に固定され、先端部が自由端とされた弾性変形可能な日ジャンパばね部２８ａと、日ジャンパばね部の先端部に設けられた係合部２８ｂと、を備えている。日ジャンパ２８の係合部２８ｂは、日ジャンパばね部２８ａによって日車３０の内歯３０ａ側に向かって付勢されるとともに、日車３０の内歯３０ａに係合可能に形成されている。日ジャンパ２８は、係合部２８ｂが日車３０の内歯３０ａに係合することにより、日車３０の回転を規正している。
【００４１】
（表示機構）
続いて、表示機構４０について詳細に説明する。
表示機構４０は、時に関する情報を示して時間経過を示すために用いられる指示部４２と、時間経過に応じて指示部４２の移動速度を異ならせる制御機構５０とを備えている。また、制御機構５０は、第１軸Ｃ１を中心軸とするカム部５１と、カム部５１の周方向に回転するカム従節ユニット５５と、を備えている。
【００４２】
図３に示すように、カム部５１は、第１軸Ｃ１が中心軸となるように、筒車２１の小径筒部２１ａに対して外嵌固定されている。カム部５１は、筒車２１の小径筒部２１ａと大径筒部２１ｂとの境界に設けられた段部に突き当てられて軸方向に位置決めされるとともに、ムーブメント１０の裏側から小径筒部２１ａに外嵌された止め座２２によって、軸方向の抜けが防止されている。カム部５１は、筒車２１とともに、筒車２１と同一の１２時間に１回転の回転速度で、第１軸Ｃ１を回転中心として時計回り方向に回転する。
【００４３】
図２に示すように、カム部５１の外周面は、時計回り方向（周方向の一方側から他方側）に向かって、渦巻き状に半径が大きくなるように形成された主カム面５２と、主カム面５２における第１軸Ｃ１からの半径が最小となる位置と最大となる位置とを結ぶ段差面５４とにより形成されている。
【００４４】
主カム面５２は、複数の副カム面５３により形成されている。副カム面５３は、１時から１２時（０時）までのインデックス１３に対応して、周方向に並んで１２面設けられている。複数の副カム面５３は、軸方向から見てそれぞれ所定の曲率を有する凹曲面状に形成されている。本実施形態においては、複数の副カム面５３の曲率は、それぞれ周方向にわたって漸次変化するように形成されている。
【００４５】
（カム従節ユニット）
カム従節ユニット５５は、主にユニット歯車５６と、アーム部５８と、レバー６０と、ポインタ４１と、により構成されている。
図３に示すように、ユニット歯車５６は、パイプ部材５７を介して筒車２１の大径筒部２１ｂに外挿されている。ユニット歯車５６は、筒車２１に対して相対回転可能とされている。
ユニット歯車５６の地板２０側の端部は、ユニット歯部５６ａとなっている。ユニット歯部５６ａは、第１日回し中間車２４のユニット駆動用歯部２４ａと噛合している。これにより、ユニット歯車５６は、筒車２１の駆動力がユニット駆動用歯部２４ａを介して伝達されるとともに、回転速度が増速される。本実施形態においては、ユニット歯車５６は、筒車２１の２倍の回転速度であって、１２時間に２回転するように構成される。
ユニット歯車５６におけるユニット歯部５６ａとは反対側は、筒状部５６ｂとなっている。
【００４６】
アーム部５８は、アーム部本体５８ａが径方向に沿って延在しており、径方向の内側端部がユニット歯車５６の筒状部５６ｂに外嵌固定されている。アーム部５８は、ユニット歯車５６とともに、ユニット歯車５６と同一の１２時間に２回転の回転速度で、第１軸Ｃ１を回転中心として時計回り方向に回転する。
【００４７】
アーム部５８の径方向における中間部分よりも外側には、アーム部５８に取り付けられたレバー用軸部材５９を介して、レバー６０が軸支されている。
図２に示すように、レバー６０は、レバー用軸部材５９による軸支部分からカム部５１に向かって、湾曲しながら延出するように形成されている。レバー６０における径方向の内側の一端部には、主カム面５２および副カム面５３に摺接する鉤状の従節部６１が形成されている。
【００４８】
レバー６０における径方向の外側の他端部には、レバー歯車６２が形成されている。レバー歯車６２は、レバー用軸部材５９を中心とする扇形状に形成されており、外周面には複数の歯部が形成されている。
レバー６０は、ポインタ４１に設けられた戻しばね４６により、ポインタ歯車４３を介して従節部６１が常にカム部５１に向かって所定の付勢力で付勢されている。戻しばね４６は、例えば、ねじりコイルバネが採用される。
【００４９】
アーム部５８の径方向における外側端部には、アーム部５８に取り付けられたポインタ用軸部材４４を介して、ポインタ４１が第２軸Ｃ２周りに回動可能に軸支されている。
ポインタ４１は、ポインタ歯車４３の筒部４３ａから延出するように形成されている。
ポインタ４１の軸支部分とは反対側の一端部には、指示部４２が形成されている。指示部４２はリング状に形成されており、内径がインデックス１３の各数字の外形よりも大きくなるように形成されている。これにより、リング状に形成された指示部４２の内側において、インデックス１３の各数字が表示可能とされる。
ポインタ４１における指示部４２とは反対側であって、ポインタ４１の軸支部分に対応する他端部には、レバー歯車６２と噛合するポインタ歯車４３が形成されている。すなわち、レバー６０とポインタ４１とは、レバー歯車６２とポインタ歯車４３とにより形成された動力伝達部３５により連結されている。
【００５０】
上述のように形成されたカム部５１およびカム従節ユニット５５は、不図示の香箱車、分車１７および日の裏車１８の回転を介して筒車２１が回転することにより、第１軸Ｃ１周りに回転するようになっている。
具体的には、カム部５１が１２時間に１回転の回転速度で時計回り方向に回転するとともに、カム従節ユニット５５が１２時間に２回転の回転速度で時計回り方向に回転する。そして、カム従節ユニット５５のレバー６０は、従節部６１がカム部５１に付勢された状態で、主カム面５２および副カム面５３に摺接しながら、アーム部５８とともにカム部５１の周りを時計回り方向に移動する。
【００５１】
このとき、複数の副カム面５３は凹曲面状に形成されていることから、レバー６０の従節部６１は、複数の副カム面５３に沿って、第１軸Ｃ１に対して接近離反しながらカム部５１の周りを移動する。そして、レバー６０は、カム従節ユニット５５の回転にともなうレバー６０の従節部６１の移動により、揺動しながらカム部５１の周りを回転移動する。
【００５２】
また、レバー６０の揺動による動力は、レバー歯車６２およびポインタ歯車４３により形成された動力伝達部３５を介して、ポインタ４１に伝達される。これにより、ポインタ４１は、第２軸Ｃ２を中心に回動しながらカム部５１の周りを時計回り方向に回転しつつ、指示部４２の内側に、時に関する情報を示す０から１２までの数字からなるインデックス１３を表示している。
【００５３】
ここで、本実施形態におけるレバー６０の揺動量および揺動速度の変化量は、副カム面５３の曲面形状に依存する。具体的には、副カム面５３の径方向の変位量が大きいほど、レバー６０の揺動量および速度の変化量を大きくすることができる。
また、ポインタ４１の揺動量は、レバー６０の揺動量（すなわち副カム面５３の形状）に加えて、ポインタ歯車４３の歯数とレバー歯車６２の歯数との比に依存する。具体的には、レバー歯車６２の歯数の比率をポインタ歯車４３の歯数の比率よりも大きくすることで、ポインタ４１の回動時の揺動量を大きくして指示部４２の揺動量を大きくすることができ、レバー歯車６２の歯数の比率をポインタ歯車４３の歯数の比率よりも小さくすることで、ポインタ４１の回動時の揺動量を小さくして指示部４２の揺動量を小さくすることができる。
本実施形態においては、インデックス１３の各数字間を移動する際、指示部４２が直線状の移動軌跡を描くように、副カム面５３の曲面形状およびポインタ歯車４３の歯数とレバー歯車６２の歯数との比を調節している。
【００５４】
（作用）
図４から図１６は、それぞれ表示機構４０の説明図であって、所定時刻を表示しているときの説明図である。なお、図４から図１６において、分針５や秒針６、戻しばね４６等（いずれも図１参照）の図示を適宜省略している。
続いて、本実施形態の表示機構４０の作用について説明する。以下では、表示機構４０を構成する指示部４２が、時刻０時から動作を開始し、時刻１２時を表示した後に動作を終了するまでの作用について、図４から図１６を用いて順を追って説明する。
【００５５】
図４に示すように、指示部４２が「０」のインデックス１３（すなわち時刻０時）を表示する初期状態において、カム部５１の段差面５４は、（−Ｘ，−Ｙ）領域の初期位置に配置される。また、カム従節ユニット５５のアーム部５８は、（−Ｘ，＋Ｙ）領域の初期位置に配置される。また、カム従節ユニット５５におけるレバー６０の従節部６１は、複数の副カム面５３のうち、段差面５４に隣接するとともに最も径方向の内側に位置する第１の副カム面５３ａに当接している。
【００５６】
次いで、時間の経過にともなって、カム部５１およびカム従節ユニット５５が第１軸Ｃ１周りに回転する。このとき、カム部５１は、１２時間に１回転の回転速度で時計回り方向に回転し、カム従節ユニット５５は、１２時間に２回転の回転速度で時計回り方向に回転するように構成されている。したがって、カム従節ユニット５５の従節部６１は、カム部５１の周りを周方向に相対的に回転し、第１の副カム面５３ａに摺接しながら移動する。
【００５７】
このとき、第１の副カム面５３ａは、凹曲面状に形成されている。したがって、従節部６１は、第１の副カム面５３ａに沿って、第１軸Ｃ１に対して接近離反しながらカム部５１の周りを移動する。これにより、レバー６０は、カム従節ユニット５５の回転にともなうレバー６０の従節部６１の移動により、揺動しながらカム部５１の周りを回転移動する。
また、レバー６０の揺動による動力は、レバー歯車６２およびポインタ歯車４３により形成された動力伝達部３５を介して、ポインタ４１に伝達される。これにより、ポインタ４１は、第２軸Ｃ２を中心に回動しながらカム部５１の周りを時計回り方向に回転する。ここで、本実施形態では、指示部４２が各数字のインデックス１３間で直線状の移動軌跡を描くように、副カム面５３の曲面形状およびポインタ歯車４３の歯数とレバー歯車６２の歯数との比を調節している。したがって、指示部４２は、「０」と「１」とのインデックス１３間を直線的に移動する。
【００５８】
その後、図５に示すように、動作開始からの経過時間が１時間となったとき、カム部５１は、初期位置から時計回り方向に３０°回転して、段差面５４が（−Ｘ，＋Ｙ）領域に移動する。また、カム従節ユニット５５のアーム部５８は、初期位置から時計回り方向に６０°回転して、（＋Ｘ，＋Ｙ）領域に移動する。また、カム従節ユニット５５におけるレバー６０の従節部６１は、第１の副カム面５３ａと第２の副カム面５３ｂとの境界部分に当接する。そして、ポインタ４１の指示部４２は、「１」のインデックス１３を表示する。
【００５９】
カム部５１およびカム従節ユニット５５は、時の経過にともない上記と同様に動作を継続する。このとき、レバー６０の従節部６１は、主カム面５２に摺接しながら移動する。したがって、レバー６０の従節部６１は、時の経過にともない、第１の副カム面５３ａに当接していた初期位置よりも径方向の外側に配置される。これにより、レバー６０は、時の経過にともない、レバー用軸部材５９を中心に初期位置よりも時計回り方向に回転移動した状態となる。
また、ポインタ４１の指示部４２は、レバー６０の初期位置からの回転移動にともなって、初期位置よりも径方向の外側に移動される。これにより、ポインタ４１の指示部４２は、移動速度を異ならせつつ、時計回り方向に回転しながら径方向の外側に移動するので、第１軸Ｃ１からの距離が漸次大きくなるように渦巻き状に配置された「１」以降のインデックス１３を表示することができる。なお、図６では指示部４２が「２」のインデックス１３を、図７では指示部４２が「３」のインデックス１３を、図８では指示部４２が「４」のインデックス１３を、図９では指示部４２が「５」のインデックス１３をそれぞれ表示している。
【００６０】
そして、図１０に示すように、動作開始からの経過時間が６時間となったとき、カム部５１は、初期位置から時計回り方向に１８０°回転して、段差面５４が（＋Ｘ，＋Ｙ）領域に移動する。また、カム従節ユニット５５のアーム部５８は、初期位置から時計回り方向に３６０°回転し、（−Ｘ，＋Ｙ）領域の初期位置と同じ位置に移動する。また、カム従節ユニット５５におけるレバー６０の従節部６１は、第６の副カム面５３ｃと第７の副カム面５３ｄとの境界部分に当接する。
【００６１】
カム部５１およびカム従節ユニット５５は、時の経過にともない回転移動を継続する。これにより、指示部４２は、「６」以降のインデックス１３を表示する。なお、図１１では指示部４２が「７」のインデックス１３を、図１２では指示部４２が「８」のインデックス１３を、図１３では指示部４２が「９」のインデックス１３を、図１４では指示部４２が「１０」のインデックス１３を、図１５では指示部４２が「１１」のインデックス１３を、それぞれ表示している。
【００６２】
次いで、図１６に示すように、動作開始からの経過時間が１２時間となったとき、レバー６０の従節部６１は、主カム面５２と段差面５４と境界部分であって、第１軸Ｃ１から径方向の外側に最も離間した位置に配置される。このとき、レバー６０は、レバー用軸部材５９を中心に初期位置よりも時計回り方向に、最大角度で回転移動した状態となっている。そして、ポインタ４１の指示部４２は、レバー６０の回転移動にともなって、最も径方向の外側に移動されて、「１２」のインデックス１３を表示することができる。
【００６３】
次いで、動作開始から１２時間が経過した時点で、レバー６０の従節部６１は、段差面５４に沿って径方向の内側に向かって移動し、図４に示すように、初期位置である第１の副カム面５３ａに配置される。また、レバー６０は、従節部６１の移動にともない、レバー用軸部材５９を中心に反時計回り方向に回動する。そして、ポインタ４１の指示部４２は、レバー６０の回動にともなって、最も径方向の内側に移動されて、再度「０」のインデックス１３を表示することができる。
以降、上記動作が繰り返されることにより、指示部４２は、複雑な移動軌跡を描きつつ、「０」から「１２」のインデックス１３を繰り返し表示することができる。
【００６４】
本実施形態によれば、指示部４２の移動速度を異ならせる制御機構５０を備えているので、簡単な構造で指示部の複雑な移動軌跡を描くことができ、表示機構４０の意匠性を向上できる。
【００６５】
また、制御機構５０は、第１軸Ｃ１を中心軸とするカム部５１と、カム部５１の周方向に回転するカム従節ユニット５５と、により制御機構５０が形成されているので、部品点数の少ない簡単な構造とすることができる。また、カム従節ユニット５５は、一端部にカム部５１に接する従節部６１が形成され、回転にともなって揺動しながらカム部５１の周りを周方向に回転するレバー６０を備えているので、カム部５１の外周面の形状を変更することで、レバー６０の揺動量を任意に設定することができる。また、従節部６１のカム部５１に対する相対移動速度を変更することで、レバー６０の揺動速度を任意に設定することができる。また、ポインタ４１は、第２軸Ｃ２周りに回動可能に支持されるとともに、レバー６０の他端部とポインタ４１の他端部とがレバー歯車６２およびポインタ歯車４３により形成された動力伝達部３５を介して連結されているので、設定されたレバー６０の揺動量および揺動速度に対応して、ポインタ４１が第２軸Ｃ２周りに回動しながら、カム部５１の周りを周方向に回転することができる。このように、カム部５１の外周面の形状および従節部６１のカム部５１に対する相対移動速度により、ポインタ４１の指示部４２の移動軌跡を所望に決定できるので、簡単な構造で指示部４２の複雑な移動軌跡を描くことができ、表示機構４０の意匠性を向上できる。
【００６６】
また、動力伝達部３５は、ポインタ歯車４３とレバー歯車６２とにより形成されているので、互いに噛合するポインタ歯車４３の歯数とレバー歯車６２の歯数との比を変更することにより、さらに指示部４２の複雑な移動軌跡を描くことができ、表示機構４０の意匠性を向上できる。とりわけ、レバー歯車６２の歯数の比率をポインタ歯車４３の歯数の比率よりも大きくすることで、ポインタ４１の回動時の揺動量を大きくして指示部４２の揺動量を大きくすることができ、レバー歯車６２の歯数の比率をポインタ歯車４３の歯数の比率よりも小さくすることで、ポインタ４１の回動時の揺動量を小さくして指示部４２の揺動量を小さくすることができる。このように、カム部５１の外周面の形状および従節部６１のカム部５１に対する相対移動速度に加えて、ポインタ歯車４３の歯数とレバー歯車６２の歯数との比を変更することにより、ポインタ４１の指示部４２の移動軌跡を所望に決定できるので、簡単な構造で指示部４２の複雑な移動軌跡を描くことができ、表示機構４０の意匠性を向上できる。
【００６７】
また、主カム面５２は、レバー６０の従節部６１を第１軸Ｃ１に対して接近離反させる複数の副カム面５３により形成されているので、副カム面５３の形状を変更することで、レバー６０の従節部６１がカム部５１の主カム面５２に接した状態でカム部５１の周りを回転するときに、レバー６０の揺動量を調整することができる。したがって、例えば、指示部４２の移動軌跡を例えば曲線状としたり、直線状としたりすることができるので、所望の移動軌跡を描くことができる。
【００６８】
また、カム部５１およびカム従節ユニット５５は、第１軸Ｃ１周りに周方向の一方側から他方側に向かって同一方向に回転し、カム従節ユニット５５は、カム部５１よりも高速回転するので、カム部５１に対してカム従節ユニット５５を相対回転させることができる。また、カム部５１が１回転する間に、カム従節ユニット５５がカム部５１の周りを複数周回することで、指示部４２の移動軌跡を、カム従節ユニット５５の周回数に対応した周回数を有する渦巻き状とすることができる。このように、カム部５１とカム従節ユニット５５との回転速度比に対応して、渦巻き状の移動軌跡の周回数を変更できるので、簡単な構造で指示部４２の複雑な移動軌跡を描くことができ、表示機構４０の意匠性を向上できる。
【００６９】
また、１２時間に１回転する筒車２１にカム部５１が取り付けられているので、１２時間を１周期とした指示部４２の移動軌跡を描くことができる。したがって、指示部４２を時針とする際に好適である。また、カム従節ユニット５５の回転速度がカム部５１の回転速度の２倍であるので、渦巻き状の移動軌跡の周回数を２回とすることができる。
【００７０】
また、上述した表示機構４０を備えることにより、簡単な構造で指示部４２の複雑な移動軌跡を描くことができる、意匠性に優れたムーブメント１０および時計１を得ることができる。
【００７１】
（実施形態の第１変形例）
続いて、実施形態の第１変形例に係る表示機構４０について説明する。
図１７は、実施形態の第１変形例に係る表示機構４０の説明図である。
実施形態の表示機構４０は、カム部５１が、主カム面５２と、複数の副カム面５３と、段差面５４とを備えており、従節部６１が主カム面５２および複数の副カム面５３に摺接しながら移動していた（図１参照）。
これに対して、図１７に示すように、実施形態の第１変形例に係る表示機構４０は、カム部１５１が主カム溝部１５２と複数の副カム溝部１５３と段差溝部１５４とを備えており、従節部１６１が主カム溝部１５２、複数の副カム溝部１５３および段差溝部１５４に沿って移動する点で、実施形態とは異なっている。なお、以下では、実施形態と同様の構成部分については説明を省略し、異なる部分についてのみ説明する。
【００７２】
主カム溝部１５２は、例えば円盤状のディスク部材の主面に、時計回り方向（周方向の一方側から他方側）に向かって、第１軸Ｃ１からの径方向に沿う距離が大きくなるように渦巻き状に形成されている。主カム溝部１５２は、径方向の内側に湾曲するように形成された複数（１２本）の副カム溝部１５３を周方向に連設することにより形成されている。段差溝部１５４は、主カム溝部１５２における第１軸Ｃ１からの半径が最小となる位置と最大となる位置とを結ぶことにより形成されている。
【００７３】
また、レバー６０の従節部１６１は、主カム溝部１５２および副カム溝部１５３に沿って移動可能な凸部１６１ａにより形成されている。凸部１６１ａは、例えばレバー６０における径方向の内側の一端部から、軸方向に沿うようにカム部１５１に向かって突出形成されている。凸部１６１ａを主カム溝部１５２内に配置することにより、カム部１５１が１２時間に１回転の回転速度で時計回り方向に回転し、カム従節ユニット５５が１２時間に２回転の回転速度で時計回り方向に回転したとき、従節部１６１が主カム溝部１５２および複数の副カム溝部１５３に沿って移動できる。これにより、ポインタ４１の指示部４２は、実施形態と同様に動作して、インデックス１３を表示することができる。
【００７４】
実施形態の第１変形例によれば、簡単かつ低コストにカム部１５１を形成することができる。また、レバー６０の従節部１６１は、主カム溝部１５２、副カム溝部１５３および段差溝部１５４に沿って移動可能な凸部１６１ａにより形成されているので、主カム溝部１５２、副カム溝部１５３および段差溝部１５４のいずれかにレバー６０の凸部１６１ａを配置するだけで、主カム溝部１５２、副カム溝部１５３および段差溝部１５４に沿って従節部１６１が移動できる。したがって、例えば、カム部１５１に従節部１６１が接するように、従節部１６１をカム部１５１に向かって付勢するための付勢部材（例えば、実施形態における戻しばね４６、図１参照）が不要となるので、表示機構４０をさらに簡単な構造とし、かつ低コスト化することができる。
【００７５】
（実施形態の第２変形例）
続いて、実施形態の第２変形例に係る表示機構４０について説明する。
図１８は、実施形態の第２変形例に係る表示機構４０の説明図である。
実施形態の表示機構４０は、カム部５１の外周面が、凹曲面状の複数の副カム面５３を周方向に並んで配置して渦巻き状に半径が大きくなるように形成された主カム面５２と、第１軸Ｃ１からの半径が最小となる位置と最大となる位置とを結ぶ段差面５４とにより形成されていた（図１参照）。
これに対して、実施形態の第２変形例に係る表示機構４０は、図１８に示すように、カム部２５１の外周面が、凸曲面状の２つの副カム面２５３ａ，２５３ｂを備えた主カム面２５２により形成されている点で、実施形態とは異なっている。なお、以下では、実施形態と同様の構成部分については説明を省略し、異なる部分についてのみ説明する。
【００７６】
カム部２５１の主カム面２５２は、凸曲面状の２つの副カム面２５３ａ，２５３ｂにより、軸方向から見てハート形状に形成されている。２つの副カム面２５３ａ，２５３ｂの境界部分のうち、一方の境界部分は、第１軸Ｃ１からの離間距離が最も小さい最内部２５４ａとなっており、他方の境界部分は、第１軸Ｃ１からの離間距離が最も大きい最外部２５４ｂとなっている。なお、図１８においては、（＋Ｘ，＋Ｙ）領域に最内部２５４ａが配置され、（−Ｘ，−Ｙ）領域に最外部２５４ｂが配置された状態となっている。また、レバー６０の従節部６１は、主カム面２５２の最外部２５４ｂ上に位置しており、第１軸Ｃ１から径方向の外側に最も離間した位置に配置される。このとき、ポインタ４１の指示部４２は、レバー６０の回転移動にともなって、最も径方向の外側に移動されて、「１２」のインデックス１３を表示している。
【００７７】
表示領域１５には、「１」から「１２」までのインデックス１３が、周方向に沿って時計回りに順に並んでいる。本実施形態においては、軸方向から見たとき、（＋Ｘ，＋Ｙ）領域であって、Ｘ軸に対して時計周り方向に所定角度ずれた位置に「１」のインデックス１３が表示されている。また、「１」以降「６」までのインデックス１３は、時計回りに方向に順に、第１軸Ｃ１からの距離が漸次小さくなるように並んで配置されている。また、「７」以降「１２」までのインデックス１３は、時計回りに方向に順に、第１軸Ｃ１からの距離が漸次大きくなるように並んで配置されている。なお、「３」と「９」のインデックス１３は、それぞれ同じ位置に表示されている。
【００７８】
（実施形態の第２変形例に係る表示機構の作用）
続いて、本実施形態の第２変形例に係る表示機構４０の作用について説明する。以下では、表示機構４０を構成する指示部４２が、時刻１２時から動作を開始し、再度時刻１２時を表示して動作を終了するまでの作用について順を追って説明する。
【００７９】
指示部４２が「１２」のインデックス１３（すなわち時刻１２時または０時）を表示する初期状態において、カム部２５１の最外部２５４ｂは、（−Ｘ，−Ｙ）領域の初期位置に配置される。また、カム従節ユニット５５のアーム部５８は、（−Ｘ，＋Ｙ）領域の初期位置に配置される。また、カム従節ユニット５５におけるレバー６０の従節部６１は、（−Ｘ，−Ｙ）領域であって、主カム面２５２の最外部２５４ｂに当接している。
【００８０】
時間の経過にともなって、カム部２５１およびカム従節ユニット５５が第１軸Ｃ１周りに回転する。このとき、カム部２５１は、１２時間に１回転の回転速度で時計回り方向に回転し、カム従節ユニット５５は、１２時間に２回転の回転速度で時計回り方向に回転するように構成されている。したがって、カム従節ユニット５５の従節部６１は、カム部２５１の周方向に相対的に回転し、第１の副カム面２５３ａに摺接しつつ最内部２５４ａに向かって移動する。
【００８１】
ここで、第１の副カム面２５３ａは、最外部２５４ｂから最内部２５４ａに向かって、第１軸Ｃ１との離間距離が漸次小さくなるように形成されている。したがって、従節部６１は、第１の副カム面２５３ａに沿って、第１軸Ｃ１に対して漸次接近しながらカム部２５１の周りを移動する。これにより、レバー６０は、カム従節ユニット５５の回転にともなうレバー６０の従節部６１の移動により、揺動しながらカム部２５１の周りを回転移動する。このとき、指示部４２は、時計回り方向に回転しながら、漸次径方向の内側に移動する。
また、レバー６０の揺動による動力は、レバー歯車６２およびポインタ歯車４３により形成された動力伝達部３５を介して、ポインタ４１に伝達される。これにより、ポインタ４１は、第２軸Ｃ２を中心に回動しながらカム部２５１の周りを時計回り方向に回転する。ここで、本実施形態では、指示部４２が各数字のインデックス１３間で滑らかな円弧状の移動軌跡を描くように、副カム面２５３ａ，２５３ｂの曲面形状およびポインタ歯車４３の歯数とレバー歯車６２の歯数との比を調節している。したがって、ポインタ４１の指示部４２は、「１２」と「１」とのインデックス１３間を円弧状に移動する。
【００８２】
指示部４２は、時の経過にともない時計回り方向に回転しながら径方向の内側に移動しつつ、「１」以降のインデックス１３を表示する。
そして、動作開始からの経過時間が６時間となったとき、カム部２５１は、初期位置から時計回り方向に１８０°回転して、最内部２５４ａが（−Ｘ，−Ｙ）領域であって、最外部２５４ｂの初期位置に対応する位置に移動する。また、カム従節ユニット５５のアーム部５８は、初期位置から時計回り方向に３６０°回転し、（−Ｘ，＋Ｙ）領域の初期位置と同じ位置に移動する。また、カム従節ユニット５５におけるレバー６０の従節部６１は、最内部２５４ａに当接する。このとき、レバー６０の従節部６１は、第１軸Ｃ１から径方向の内側に最も近接した位置に配置される。したがって、指示部４２は、レバー６０の回転移動にともなって、最も径方向の内側に移動されて、「６」のインデックス１３を表示する。
【００８３】
動作開始から６時間が経過した以降、カム従節ユニット５５の従節部６１は、時間の経過にともなって、カム部２５１の周方向に相対的に回転し、第２の副カム面２５３ｂに摺接しつつ最外部２５４ｂに向かって移動する。このとき、指示部４２は、時の経過にともない、時計回り方向に回転しながら径方向の外側に移動しつつ、「６」以降のインデックス１３を表示する。
【００８４】
そして、動作開始からの経過時間が１２時間となったとき、カム部２５１が１回転するとともに、カム従節ユニット５５が２回転して、レバー６０の従節部６１が、再度主カム面２５２の最外部２５４ｂ上に位置する。このとき、ポインタ４１の指示部４２は、レバー６０の回転移動にともなって、最も径方向の外側に移動されて、再度「１２」のインデックス１３を表示する。
以降、上記動作が繰り返されることにより、指示部４２は、実施形態とは異なるさらに複雑な移動軌跡を描きつつ、「１」から「１２」のインデックス１３を表示することができる。
【００８５】
なお、この発明の技術範囲は上記の実施形態に限られるものではなく、本発明の趣旨を逸脱しない範囲において種々の変更を加えることが可能である。
【００８６】
実施形態および実施形態の各変形例の表示機構４０は、カム部５１，１５１，２５１が１２時間に１回転の回転速度で時計回り方向に回転するとともに、カム従節ユニット５５が１２時間に２回転の回転速度で時計回り方向に回転するように構成されていたが、カム部５１およびカム従節ユニット５５の回転速度は、これに限定されない。例えば、カム部５１，１５１，２５１が１２時間に１回転の回転速度で時計回り方向に回転するとともに、カム従節ユニット５５が１２時間に３回転の回転速度で時計回り方向に回転するように構成されていてもよい。この場合においては、第１軸Ｃ１を３周するように、指示部４２の移動軌跡を描くことができる。このように、カム部５１，１５１，２５１およびカム従節ユニット５５の回転速度を種々変更することにより、指示部４２の移動軌跡を所望の形状とすることができる。
【００８７】
実施形態の表示機構４０は、副カム面５３が軸方向から見てそれぞれ所定の曲率を有する凹曲面状に形成されていたが、副カム面５３の形状は、実施形態に限定されない。例えば、副カム面５３が軸方向から見てそれぞれ所定の曲率を有する凸曲面状に形成されていてもよいし、屈曲するように形成されていてもよいし、平面状に形成されていてもよい。さらに、複数の副カム面５３の形状が、それぞれ異なる形状となるように形成してもよい。このように、副カム面５３の形状を種々変更することにより、指示部４２の移動軌跡を所望の形状とすることができる。
【００８８】
実施形態および実施形態の各変形例の表示機構４０は、レバー歯車６２とポインタ歯車４３とにより、レバー６０の動力をポインタ４１に伝達する動力伝達部３５が形成されていたが、動力伝達部３５の形態は、実施形態および実施形態の各変形例に限定されない。例えば、ベルトとプーリーとによりレバー６０とポインタ４１とを連結することにより、動力伝達部３５が形成されていてもよい。
【００８９】
実施形態および実施形態の各変形例の表示機構４０は、指示部４２がリング状に形成されており、指示部４２の内側にインデックス１３の各数字を表示していたが、指示部４２の形状は実施形態および実施形態の各変形例に限定されることはなく、種々の形状に変更が可能である。したがって、例えば、指示部４２の形状を針状としてもよい。
【００９０】
実施形態および実施形態の各変形例の表示機構４０は、第１軸Ｃ１を共通の回転中心軸として、カム部５１，１５１，２５１およびカム従節ユニット５５が回転していたが、カム部５１，１５１，２５１の回転中心軸とカム従節ユニット５５の回転中心軸とが同軸でなくてもよい。
【００９１】
文字板１１上のインデックス１３の表示の形態は、実施形態および実施形態の各変形例に限定されることは無く、種々変更が可能である。
また、実施形態および実施形態の各変形例の表示機構４０は、ポインタ４１が時針の機能を有しており、指示部４２が時を示していた。これに対して、ポインタ４１が秒針の機能を有しており、指示部４２が秒を示してもよいし、ポインタ４１が分針の機能を有しており、指示部４２が分を示してもよいし、ポインタ４１が曜針の機能を有しており、指示部４２が曜を示してもよい。すなわち、表示機構４０は、時の情報を表示する態様に限定されない。
【００９２】
その他、本発明の趣旨を逸脱しない範囲で、上記した実施の形態における構成要素を周知の構成要素に置き換えることは適宜可能である。
【符号の説明】
【００９３】
１・・・時計  １０・・・ムーブメント（時計用ムーブメント）  １５・・・表示領域（表示部）  ２１・・・筒車  ３５・・・動力伝達部  ４０・・・表示機構  ４１・・・ポインタ  ４２・・・指示部  ４３・・・ポインタ歯車  ５０・・・制御機構  ５１，１５１，２５１・・・カム部  ５２，２５２・・・主カム面  ５３，２５３ａ，２５３ｂ・・・副カム面  ５５・・・カム従節ユニット  ６０・・・レバー  ６１，１６１・・・従節部  ６２・・・レバー歯車  １５２・・・主カム溝部（溝部）  １５３・・・副カム溝部（溝部）  １６１ａ・・・凸部  Ｃ１・・・第１軸  Ｃ２・・・第２軸
【図１】
2015007539.tif 000003
【図２】
2015007539.tif 000004
【図３】
2015007539.tif 000005
【図４】
2015007539.tif 000006
【図５】
2015007539.tif 000007
【図６】
2015007539.tif 000008
【図７】
2015007539.tif 000009
【図８】
2015007539.tif 000010
【図９】
2015007539.tif 000011
【図１０】
2015007539.tif 000012
【図１１】
2015007539.tif 000013
【図１２】
2015007539.tif 000014
【図１３】
2015007539.tif 000015
【図１４】
2015007539.tif 000016
【図１５】
2015007539.tif 000017
【図１６】
2015007539.tif 000018
【図１７】
2015007539.tif 000019
【図１８】
2015007539.tif 000020